(57)【要約】【課題】ほぼ全開状態にある開口部を通過できる被収容物であれば、その大きさにかかわらず容易に出し入れできるソフトバッグを提供すること。【解決手段】両マチ部４，５と前・底・後面部１，２，３とがパイピン６を介して接合されており、前・後面部１，３及び両マチ部４，５の上端部により開口部Ｈが形成されているソフトバッグにおいて、パイピン６内にバネ部材７を収容させると共に、前記バネ部材７により開口部Ｈが全開となる方向に前・後面部１，３の上端部を付勢してある。全開状態にある開口部Ｈは、底面部２と略同等の大きさ及び形状である。【選択図】　図１
2004089313.tif 000002
【特許請求の範囲】
【請求項１】
両マチ部４，５と前・底・後面部１，２，３とがパイピン６を介して接合されており、前・後面部１，３及び両マチ部４，５の上端部により開口部Ｈが形成されているソフトバッグにおいて、パイピン６内にバネ部材７を収容させると共に、前記バネ部材７により開口部Ｈが全開となる方向に前・後面部１，３の上端部を付勢してあることを特徴とすることを特徴とするソフトバッグ。
【請求項２】
全開状態にある開口部Ｈは、底面部２と略同等の大きさ及び形状であることを特徴とする請求項１記載のソフトバッグ。
【請求項３】
パイピン６は開口部Ｈが全開又はほぼ全開でＵ字状又は横コ字状となっており、前記パイピン６とほぼ同形状のバネ部材７が収容されていることを特徴とする請求項１又は２記載のソフトバッグ。
【請求項４】
バネ部材７がコイルバネであることを特徴とする請求項３記載のバッグ。
【請求項５】
開口部Ｈを閉止する止め具８を有することを特徴とする請求項１乃至４のいずれかに記載のソフトバッグ。
【請求項６】
止め具８がファスナーであることを特徴とする請求項５記載のソフトバッグ。
【請求項７】
両マチ部４，５と前・底・後面部１，２，３とが接合されており、前・後面部１，３及び両マチ部４，５の上端部により開口部Ｈが形成されているソフトバッグにおいて、両マチ部４，５と前・底・後面部１，２，３との接合部分に沿ってバネ部材７を設けると共に、前記バネ部材７により開口部Ｈが全開となる方向に前・後面部１，３の上端部を付勢してあることを特徴とすることを特徴とするソフトバッグ。
【発明の詳細な説明】
【０００１】
【発明の属する技術分野】
この発明は、大小の被収容物の出し入れが容易にできるソフトバッグに関するものである。
【０００２】
【従来の技術】
ソフトバッグは、軟質材により構成されているため、上部に位置する開口部が自然に閉じていく傾向がある。
【０００３】
このため、使用者は、開口部を介して被収容物を出し入れする際に、閉じかけた開口部に被収容物が引っ掛からないように、一方の手で開口部が開いた状態を維持しながら、他方の手のみで被収容物を出し入れしなければならないという問題があった。
【０００４】
また、マチ部相互間距離が大きいバッグの場合、一方の手では開口部全域を全開状態にすることができず、大きい被収容物を出し入れすることは困難であった。
【０００５】
【発明が解決しようとする課題】
そこで、この発明は、ほぼ全開状態にある開口部を通過できる被収容物であれば、その大きさにかかわらず容易に出し入れできるソフトバッグを提供することを課題とする。
【０００６】
【課題を解決するための手段】
（請求項１記載の発明）
この発明は、両マチ部４，５と前・底・後面部１，２，３とがパイピン６を介して接合されており、前・後面部１，３及び両マチ部４，５の上端部により開口部Ｈが形成されているソフトバッグにおいて、パイピン６内にバネ部材７を収容させると共に、前記バネ部材７により開口部Ｈが全開となる方向に前・後面部１，３の上端部を付勢してある。
（請求項２記載の発明）
この発明は、上記請求項１記載の発明に関し、全開状態にある開口部Ｈは、底面部２と略同等の大きさ及び形状である。
（請求項３記載の発明）
この発明は、上記請求項１又は２記載の発明に関し、パイピン６は開口部Ｈが全開又はほぼ全開でＵ字状又は横コ字状となっており、前記パイピン６とほぼ同形状のバネ部材７が収容されている。
（請求項４記載の発明）
この発明は、上記請求項３に記載の発明に関し、バネ部材７がコイルバネである。
（請求項５記載の発明）
この発明は、上記請求項１乃至４のいずれかに記載の発明に関し、開口部Ｈを閉止する止め具８を有する。
（請求項６記載の発明）
この発明は、上記請求項５記載の発明に関し、止め具８がファスナーである。（請求項６記載の発明）
この発明は、両マチ部４，５と前・底・後面部１，２，３とが接合されており、前・後面部１，３及び両マチ部４，５の上端部により開口部Ｈが形成されているソフトバッグにおいて、両マチ部４，５と前・底・後面部１，２，３との接合部分に沿ってバネ部材７を設けると共に、前記バネ部材７により開口部Ｈが全開となる方向に前・後面部１，３の上端部を付勢してある。
【０００７】
なお、この発明のソフトバッグの機能については、以下の発明の実施の形態の欄で説明する。
【０００８】
【発明の実施の形態】
以下に、この発明の実施の形態を図面を参照しつつ説明する。
〔実施形態１〕
図１はこの発明の実施形態のソフトバッグである画材バッグにおいてファスナーを閉じた状態を示した斜視図であり、図２は前記画材バッグにおいてファスナーを開いた状態を示す斜視図である。
（画材バッグＢの構成について）
この画材バッグＢは、図１や図２に示すように、前・底・後面部１，２，３と両マチ部４，５とがパイピン６を介して接合（縫着）されており、前・後面部１，３及び両マチ部４，５の上端部により、底面部２と略同等の大きさ及び形状の開口部Ｈが形成されていると共に前記開口部Ｈを閉止する止め具８を具備させてある。そして、図３や図４に示すように、パイピン６内にバネ部材７を収容させると共に、前記バネ部材７により開口部Ｈがほぼ全開となるように前・後面部１，３の上端部を付勢してある。
【０００９】
前・底・後面部１，２，３は、耐水性を有する合成繊維（例えば、ナイロンやポリエステル等）から成る外布と内布との間に、薄いスポンジ板を挟み込んで構成された一枚ものの部材により形成されており、図１に示すように、前記後面部３に相当する内布にはポケットＰを構成させてある。
【００１０】
なお、前記前・後面部１，３には、図１や図２に示すように、耐水性を有する合成繊維を織ってなる下げ紐１０，２０（把手）を縫着してあり、他方、前記底部２には二つの水排出用孔ｈを間隔を設けて形成してある。
【００１１】
両マチ部４，５は、図１〜図４に示すように、耐水性を有する合成繊維（ナイロンやポリエステル等）から成る布状の上部４０，５０と、合成樹脂から成るネット状の下部４１，５１とから構成されている。ここで、両マチ部４，５はそれぞれ図１〜図４に示すように、下端側から上端側に向かって上端近傍付近まで幅が徐々に広がっているものとしてあるが、これは図４に示すように、ほぼ全開の開口部Ｈの幅寸法Ｗを底面部２の幅寸法ｗと略一致（又は少し大きく）させるためである。また、下部４１，５１をネット状としてあるのは、バッグ内部に湿気がとどまらないようにするためである。
【００１２】
パイピン６は、全体がゴム材で構成されており、図５に示すように、断面Ｃ形状の膨らみ部６０と、前記膨らみ部６０の両端部に相互に略平行に配された延設片６１，６１とから成る長尺状のものとしてある。そして、前記パイピン６は図２や図４に示すように、開口部Ｈが全開又はほぼ全開でＵ字状又は横コ字状となっている。
【００１３】
なお、この実施形態では、パイピン６は合成繊維より成る布で覆われており、、膨らみ部６０がバッグ外部に、延設片６１，６１がバッグ内部に、それぞれ突出する態様で、前・底・後面部１，２，３と両マチ部４，５との間に逢着される。
【００１４】
バネ部材７は、図３や図４に示すように、パイピン６の膨らみ部６０内に収容できる直径のコイル形状のものであり、図３、図４や図６に示すように、上記の如きＵ字状又は横コ字状に配置させたパイピン６における底面部２から前・後面部１，３の上端付近（肩部Ｋ）までの範囲で収容させてある。なお、このバネ部材７はＵ字状又は横コ字状に配置させたパイピン６と対応させて、外力が作用しない状態においてＵ字状又は横コ字状となっていることが好ましい。
【００１５】
止め具８は、図１や図２に示すように、一般的に使用されているファスナーであり、前・後面部１，３の上端から両マチ部４，５の上端部分にかけて縫着されている。
（上記画材バッグＢに収容される筆洗バケツ等について）
筆バケツ９は、図７に示すように、画材バッグＢの底部よりも僅かに小さい同形の容器形状としており、上部中央には把持９０を形成している。この筆バケツ９の内部にはパレット９１、絵の具９２、筆入れ９３等を収容できるようになっている。
（上記画材バッグＢから筆洗バケツ９を取り出す場合について）
筆洗バケツ９を画材バッグＢ内に収容し、ファスナーである止め具８を閉じると、バネ部材７の付勢力に抗してバッグ上部幅は図３に示すように狭くなり、開口部Ｈは閉じられた状態が維持されている。
【００１６】
ここで、画材バッグＢから筆洗バケツ９を取り出す場合、止め具８を開状態にする。この状態では、図４に示すように、画材バッグＢの開口部Ｈはバネ部材７の付勢力によりほぼ全開となり、開口部Ｈの幅寸法Ｗは筆洗バケツ９の幅寸法ｗ１よりも大きくなっている。
【００１７】
したがって、筆洗バケツ９を把持９０を持って引き上げると、画材バッグＢから何の障害も無く筆洗バケツ９を取り出すことができる。
【００１８】
逆に、上記止め具８が開状態にあるときには、開口部Ｈの幅寸法Ｗは筆洗バケツ９の幅寸法ｗ１よりも大きいことから、開口部Ｈから筆洗バケツ９を何の障害もなく画材バッグＢ内に収容させることができる。
【００１９】
つまり、この画材バッグＢによれば、筆洗バケツ９（被収容物）を容易に出し入れできる。
〔他の実施形態〕
上記実施形態では本件発明のソフトバッグを画材バッグとしているが、これに限定されることなく、両マチ部４，５と前・底・後面部１，２，３とがパイピン６を介して接合されており、前・後面部１，３及び両マチ部４，５の上端部により開口部Ｈが形成されているソフトバッグ（例えばボストンバッグ形式）であれば全て採用できる。この場合においても、ほぼ全開状態にある開口部を通過できる被収容物であれば、その大きさにかかわらず容易に出し入れできる。
【００２０】
上記実施形態では、バネ部材７はコイル形状のものとしてあるが、これに限定されることなく、バネ鋼で構成されたＵ字状又は横コ字状の線体であってもよい。要するにバネ部材７の付勢力により開口部Ｈがほぼ全開まで開けばよいのである。
【００２１】
上記実施形態では、止め具８はファスナーとしてあるが、これに限定されるものではない。また、場合によっては止め具８を有しないものであってもよい。
【００２２】
上記実施形態では、Ｕ字状又は横コ字状に配置させたパイピン６において底面部２から前・後面部１，３の上端付近（肩部Ｋ）までの範囲でバネ部材７を収容させたものとしているが、これに限定されることなく、前・後面部１，３の上端までの範囲でバネ部材７を収容させたものとしてもよい。
【００２３】
上記実施形態ではパイピンを使用しているが、これに限定されることなく、パイピンを使用することなく両マチ部４，５と前・底・後面部１，２，３とを接合し、前記接合部分に沿ってバネ部材７を設けると共に、前記バネ部材７により開口部Ｈが全開となる方向に前・後面部１，３の上端部を付勢してあるものとしてもよい。
【００２４】
【発明の効果】
この発明は以下に示すような効果を奏する。
【００２５】
発明の実施の形態の欄に記載した内容から明らかなように、ほぼ全開状態にある開口部を通過できる被収容物であれば、その大きさにかかわらず容易に出し入れできるソフトバッグを提供できた。
【図面の簡単な説明】
【図１】この発明の実施形態のソフトバッグである画材バッグにおいてファスナーを閉じた状態を示した斜視図。
【図２】前記画材バッグにおいてファスナーを開いた状態を示した斜視図。
【図３】前記画材バッグにおいてファスナーを閉じた状態を示した断面図。
【図４】前記画材バッグにおいてファスナーを開いた状態を示した断面図。
【図５】前記画材バッグに使用されているパイピンの斜視図。
【図６】前記画材バッグに使用されているパイピンにバネ部材が収容されている状態を示す断面図。
【図７】前記画材バッグの開口部を開けた状態で、筆洗いバケツを取り出した状態を示す斜視図。
【符号の説明】
Ｂ　　　画材バッグ（ソフトバッグ）
１　　　前面部
２　　　底面部
３　　　後面部
４　　　マチ部
５　　　マチ部
６　　　パイピン
７　　　バネ部材
８　　　止め具
【図１】
2004089313.tif 000003
【図２】
2004089313.tif 000004
【図３】
2004089313.tif 000005
【図４】
2004089313.tif 000006
【図５】
2004089313.tif 000007
【図６】
2004089313.tif 000008
【図７】
2004089313.tif 000009